(57)【要約】【課題】色の見え方の個人差を軽減する表示装置を提供する。【解決手段】複数の色の光源を有し、複数の色のうち少なくとも１つの色の光源は、発光強度を個別に制御可能な、スペクトルが異なる複数の発光素子からなる発光手段と、前記発光手段による光を画像データに基づき変調する表示パネルと、ユーザの分光感度特性に関する情報を取得する取得手段と、前記取得手段により取得された情報に基づき前記複数の発光素子の各々の発光強度を制御する制御手段と、を備える表示装置。【選択図】図１
2016057583.tif 000002
【特許請求の範囲】
【請求項１】
複数の色の光源を有し、複数の色のうち少なくとも１つの色の光源は、発光強度を個別に制御可能な、スペクトルが異なる複数の発光素子からなる発光手段と、
前記発光手段による光を画像データに基づき変調する表示パネルと、
ユーザの分光感度特性に関する情報を取得する取得手段と、
前記取得手段により取得された情報に基づき前記複数の発光素子の各々の発光強度を制御する制御手段と、
を備える表示装置。
【請求項２】
前記複数の色は、赤色、緑色、及び青色であり、赤色光源、緑色光源、及び青色光源の各々は、発光強度を個別に制御可能な、スペクトルが異なる複数の発光素子からなる請求項１に記載の表示装置。
【請求項３】
前記複数の色は、赤色、緑色、及び青色であり、青色光源は、発光強度を個別に制御可能な、スペクトルが異なる複数の発光素子からなる請求項１に記載の表示装置。
【請求項４】
前記制御手段は、前記ユーザの知覚する色と所定の基準観察者の知覚する色との差異が小さくなるように前記複数の発光素子の各々の発光強度を制御する請求項１〜３のいずれか１項に記載の表示装置。
【請求項５】
前記制御手段は、前記ユーザの分光感度特性に関する情報と、前記基準観察者の分光感度特性に関する情報と、前記複数の発光素子のスペクトルと、に基づき、前記複数の発光素子の各々の発光強度を算出する請求項４に記載の表示装置。
【請求項６】
観察者の分光感度特性毎に、当該分光感度特性の観察者の知覚する色と前記基準観察者の知覚する色との差異が小さくなるように予め求められた、前記複数の発光素子の各々の発光強度の情報を記憶する記憶手段を更に備え、
前記制御手段は、前記取得手段により取得された前記ユーザの分光感度特性に関する情報に対応する発光強度で前記複数の発光素子の各々を制御する請求項４に記載の表示装置。
【請求項７】
前記制御手段は、所定の重要色について、前記ユーザの知覚する色と前記基準観察者の知覚する色との差異が小さくなるように前記複数の発光素子の各々の発光強度を制御する請求項４〜６のいずれか１項に記載の表示装置。
【請求項８】
前記重要色は、赤、緑、青、白、黄、シアン、マゼンタ、及びベージュの少なくともいずれかを含む請求項７に記載の表示装置。
【請求項９】
観察者の年齢と分光感度特性との対応関係の情報を記憶する記憶手段を更に備え、
前記取得手段は、前記ユーザの分光感度特性に関する情報として前記ユーザの年齢を取得し、
前記制御手段は、前記取得手段により取得された前記ユーザの年齢に対応する分光感度特性に基づき前記複数の発光素子の各々の発光強度を制御する請求項１〜８のいずれか１項に記載の表示装置。
【請求項１０】
観察者の年齢毎に、観察者の知覚する色と所定の基準観察者の知覚する色との差異が小さくなるように予め求められた、前記複数の発光素子の各々の発光強度の情報を記憶する記憶手段を更に備え、
前記取得手段は、前記ユーザの分光感度特性に関する情報として前記ユーザの年齢を取
得し、
前記制御手段は、前記取得手段により取得された前記ユーザの年齢に対応する発光強度で前記複数の発光素子の各々を制御する請求項１〜８のいずれか１項に記載の表示装置。
【請求項１１】
前記表示装置に対する観察者の視角と分光感度特性との対応関係の情報を記憶する記憶手段を更に備え、
前記取得手段は、前記ユーザの分光感度特性に関する情報として前記ユーザの前記表示装置に対する視角を取得し、
前記制御手段は、前記取得手段により取得された前記ユーザの視角に対応する分光感度特性に基づき前記複数の発光素子の各々の発光強度を制御する請求項１〜１０のいずれか１項に記載の表示装置。
【請求項１２】
前記表示装置に対する観察者の視角毎に、観察者の知覚する色と所定の基準観察者の知覚する色との差異が小さくなるように予め求められた、前記複数の発光素子の各々の発光強度の情報を記憶する記憶手段を更に備え、
前記取得手段は、前記ユーザの分光感度特性に関する情報として前記ユーザの前記表示装置に対する視角を取得し、
前記制御手段は、前記取得手段により取得された前記ユーザの視角に対応する発光強度で前記複数の発光素子の各々を制御する請求項１〜１０のいずれか１項に記載の表示装置。
【請求項１３】
前記取得手段は、前記表示装置とユーザとの距離を取得し、前記距離と前記表示パネルのサイズとに基づき前記ユーザの前記表示装置に対する視角を算出する請求項１１又は１２に記載の表示装置。
【請求項１４】
ユーザから前記複数の発光素子の各々の発光強度の入力を受け付ける入力手段と、
前記取得手段は、前記表示パネルに所定の色票を表示させ、前記表示パネルに表示された当該色票の色と他の表示装置に表示された当該色票の色又は当該色票を印刷した印刷物における当該色票の色とを一致させるようにユーザに前記入力手段により入力させた前記複数の発光素子の各々の発光強度を、前記ユーザの分光感度特性に関する情報として取得し、
前記制御手段は、前記取得手段により取得された発光強度で前記複数の発光素子の各々を制御する請求項１〜３のいずれか１項に記載の表示装置。
【請求項１５】
予め定められた前記複数の発光素子の各々の発光強度の複数の組み合わせを記憶する記憶手段と、
前記複数の発光素子の各々の発光強度の組み合わせを切り替える指示の入力をユーザから受け付ける入力手段と、を更に備え、
前記取得手段は、前記表示パネルに所定の色票を表示させ、前記表示パネルに表示された当該色票の色と他の表示装置に表示された当該色票の色又は当該色票を印刷した印刷物における当該色票の色とが最も一致する前記複数の発光素子の各々の発光強度の組み合わせをユーザに前記入力手段により入力させ、当該入力された組み合わせの情報を前記ユーザの分光感度特性に関する情報として取得し、
前記制御手段は、前記取得手段により取得された組み合わせの発光強度で前記複数の発光素子の各々を制御する請求項１〜３のいずれか１項に記載の表示装置。
【請求項１６】
ユーザの識別情報と、当該ユーザの知覚する色と所定の基準観察者の知覚する色との差異が小さくなる前記複数の発光素子の各々の発光強度の情報と、の対応関係を記憶する記憶手段を更に備え、
前記取得手段は、ユーザの識別情報をユーザの分光感度特性に関する情報として取得し
、
前記制御手段は、前記取得手段により取得された識別情報に対応する発光強度で前記複数の発光素子の各々を制御する請求項１〜３のいずれか１項に記載の表示装置。
【請求項１７】
複数の色の光源を有し、複数の色のうち少なくとも１つの色の光源は、発光強度を個別に制御可能な、スペクトルが異なる複数の発光素子からなる発光手段と、
前記発光手段による光を画像データに基づき変調する表示パネルと、
を備える表示装置の制御方法であって、
ユーザの分光感度特性に関する情報を取得する取得工程と、
前記取得工程により取得された情報に基づき前記複数の発光素子の各々の発光強度を制御する制御工程と、
を有する表示装置の制御方法。
【発明の詳細な説明】
【技術分野】
【０００１】
本発明は、表示装置及びその制御方法に関するものである。
【背景技術】
【０００２】
印刷物等の見えに表示装置の見えを合わせるカラーマッチングが行われている。一般的には、印刷物等の測色値（ＣＩＥ  ＸＹＺ三刺激値等）と表示装置の測色値を一致させる測色的一致や、心理的な見えを一致させる心理的一致をさせるカラーマッチングが行われる。カラーマッチングは、人の目の分光感度がＣＩＥ等色関数に従うことを前提としているが、目の中間透光体や黄斑色素による吸収等により、人の分光感度には個人差があることが知られている。例えばＣＩＥ技術報告書  ＣＩＥ  １７０−１には、錐体分光感度が観察者の年齢と視角（観察者が対象物を見込む角度）で定義されており、年齢と視角を指定することで、観察者の錐体分光感度を求めることができる。
【０００３】
カラーマッチングを行う場合、表示装置の色域が広いほど、マッチングできる色の範囲が広くなるため、カラーマッチングの効果がより大きくなる。特許文献１には、表示装置で表示可能な色域を拡大させるために、バックライトのスペクトルと入力された画像の色伸長度合いを変更する技術が開示されている。
【先行技術文献】
【特許文献】
【０００４】
【特許文献１】特開２００４−３３３７５８号公報
【発明の概要】
【発明が解決しようとする課題】
【０００５】
従来のカラーマッチングでは、測色的一致や心理的一致を行っても、目の分光感度の個人差により、色の見え方に個人差が生じ、色の見えが一致しない場合があった。特許文献１では、表示装置のバックライトのスペクトルを変更する技術が開示されている。しかし、特許文献１は色域を拡大させることを目的としており、個人毎の目の分光感度の違いに対して発光スペクトルを変更することは考えられていないため、色の見え方の個人差を軽減することはできない。
そこで本発明は、色の見え方の個人差を軽減することを目的とする。
【課題を解決するための手段】
【０００６】
本発明は、複数の色の光源を有し、複数の色のうち少なくとも１つの色の光源は、発光強度を個別に制御可能な、スペクトルが異なる複数の発光素子からなる発光手段と、
前記発光手段による光を画像データに基づき変調する表示パネルと、
ユーザの分光感度特性に関する情報を取得する取得手段と、
前記取得手段により取得された情報に基づき前記複数の発光素子の各々の発光強度を制御する制御手段と、
を備える表示装置である。
【０００７】
本発明は、複数の色の光源を有し、複数の色のうち少なくとも１つの色の光源は、発光強度を個別に制御可能な、スペクトルが異なる複数の発光素子からなる発光手段と、
前記発光手段による光を画像データに基づき変調する表示パネルと、
を備える表示装置の制御方法であって、
ユーザの分光感度特性に関する情報を取得する取得工程と、
前記取得工程により取得された情報に基づき前記複数の発光素子の各々の発光強度を制
御する制御工程と、
を有する表示装置の制御方法である。
【発明の効果】
【０００８】
本発明によれば、色の見え方の個人差を軽減することができる。
【図面の簡単な説明】
【０００９】
【図１】実施例１に係る表示装置の構成の一例を示すブロック図
【図２】バックライト３の構成の一例を示す模式図
【図３】表示装置１に表示する複数の色パターンの表示例
【図４】指定部５の入力部５１を示す模式図
【図５】人の目の錐体分光感度と表示装置１の発光スペクトルを示すグラフ
【図６】２０代のユーザＡと８０代のユーザＢの錐体分光感度を求めたグラフ
【図７】実施例２に係る表示装置の構成の一例を示すブロック図
【発明を実施するための形態】
【００１０】
以下、本発明の表示装置及びその制御方法の実施例について図面を参照して具体的に説明する。なお、実施例の記載は本発明の範囲をそれに限定する趣旨のものではなく、本発明の範囲内で以下の実施例は変形や組み合わせが可能である。
【００１１】
（実施例１）
実施例１では、複数の色パターン（色票）を表示した表示装置と、表示された色パターンを印刷した印刷物と、をユーザが目視で比較しながら、適切なバックライトの光源の発光強度をユーザが指定する例を示す。
【００１２】
以下、本発明の実施例１に係る表示装置について説明する。
図１は、実施例１に係る表示装置の構成の一例を示すブロック図である。
図１に示すように、表示装置１は、液晶パネル２、バックライト３、決定部４、指定部５を有する。
液晶パネル２は、複数の画素を有する。液晶パネル２は、表示装置１に入力された画像データに応じて各画素の透過率を変更する。液晶パネル２は、バックライト３からの光を画像データに基づき変調することにより、画像データに基づく画像を表示する表示パネルである。
【００１３】
バックライト３は、複数の色の光源を有し、複数の色のうち少なくとも１つの色の光源は、発光強度を個別に制御可能な、発光スペクトルが異なる複数の発光素子からなる発光手段である。バックライト３は、液晶パネル２を背面から照射する面光源装置である。実施例１では、複数の色は赤色、緑色、青色の３原色であるとする。色の数は３色に限らず、また色は原色に限らない。実施例１では、赤色光源、緑色光源、及び青色光源の各々は、発光強度を個別に制御可能な、発光スペクトルの主波長が互いに異なる複数の発光素子からなるものとする。
【００１４】
図２は、バックライト３の構成の一例を示す模式図である。
図２のように、バックライト３は複数の制御単位３１で構成され、各制御単位は、複数の色の光源（赤色光源、緑色光源、青色光源）からなる。各原色の光源はそれぞれ２つの異なる発光スペクトルの発光素子からなる。赤色光源を構成する発光素子は赤色光源Ｒａ３１１及び赤色光源Ｒｂ３１２である。緑色光源を構成する発光素子は緑色光源Ｇａ３１３及び緑色光源Ｇｂ３１４である。青色光源を構成する発光素子は青色光源Ｂａ３１５及び青色光源Ｂｂ３１６である。
赤色光源Ｒａ３１１とＲｂ３１２、緑色光源Ｇａ３１３とＧｂ３１４、青色光源Ｂａ３
１５とＢｂ３１６は、それぞれ互いに発光スペクトルの主波長が異なる発光素子であり、それぞれ独立して発光強度を制御可能である。
【００１５】
図１の決定部４は、バックライト３の制御単位内の各光源の各発光素子の発光強度を決定し、バックライト３に出力する。
バックライト３は、決定部４で決定された発光強度に従って、制御単位内の各光源の各発光素子を発光させる。決定部４は、各光源の各発光素子の発光強度が制御単位間で共通になるように発光強度を決定する。
指定部５は、ユーザの分光感度特性に関する情報を取得する。ユーザの分光感度特性に関する情報（特性情報）は、決定部４に出力され、決定部４で各光源の発光素子の発光強度を決定するために用いられる。
決定部４は、指定部５から取得した特性情報に基づき、各光源を構成する複数の発光素子の各々の発光強度を決定し、バックライト３へ出力することによりバックライト３の発光を制御する。
【００１６】
図３は、表示装置１に表示する色票の一例であり、色票は複数の色が配列されたパターンである。
表示装置１には、図示していないパーソナルコンピュータ等から出力された画像データが入力されており、入力された画像データに応じて、画面１１に画像が表示される。図３では、表示装置１の画面１１に赤、緑、青、白、黄、シアン、マゼンタ、ベージュの色パターンが表示されている例を示している。
ユーザは、パーソナルコンピュータから、プリンタ等の印刷機器を用いて、同じ色票の画像データに基づく画像の印刷物を出力し、画面１１に表示された色票と比較する。
指定部５は、ユーザからの情報や指示の入力を受け付ける入力部を有している。ユーザは入力部からバックライト３の各光源の発光素子の発光強度を指定する値を入力する。
【００１７】
図４は、指定部５の入力部５１を示す模式図である。
図４に示すように、入力部５１は、各光源の発光素子の発光強度を指定するためのスライダー群５１１及び発光強度を決定するための決定ボタン５１２を有する。入力部５１は、例えば表示装置１の外装フレームに設けられている。或いは、入力部５１は、表示装置１に指示を入力するためのリモコンに設けられる。
図４では、赤色光源Ｒａを１００％、Ｒｂを５０％、緑色光源Ｇａを５０％、Ｇｂを１００％、青色光源Ｂａを５０％、Ｂｂを１００％の発光強度で点灯させるようにスライダーで指定する例を示している。
【００１８】
実施例１では、指定部５は、液晶パネル２に図３に示すような所定の色票を表示させる。指定部５は、液晶パネル２に表示された色票の色と、当該色票を印刷した印刷物における当該色票の色と、を一致させるように、ユーザに入力部５１により各色光源の発光素子の各々の発光強度を入力させる。指定部５は、入力された各色光源の発光素子の各々の発光強度を、ユーザの分光感度特性に関する情報（特性情報）として取得する。
指定部５は、図４のように入力された各光源の発光素子の各々の発光強度を特性情報として決定部４に出力する。
決定部４は、指定部５から取得した特性情報に従ってバックライト３の各光源を点灯させる。これにより、決定部４は、ユーザの分光感度特性に関する情報に基づき決定した発光強度で、各光源の発光素子を制御する。
【００１９】
ユーザは、画面に表示された色票と印刷した色票を比較しながら、指定部５の入力部５１を用いてバックライト３の各発光素子の発光強度を調節し、色の見え方が表示装置と印刷物で一致した場合、入力部５１の決定ボタン５１２を押すことで発光強度を決定する。
指定部５は、決定ボタン５１２が押されたときのスライダー群５１１で指定される各発
光素子の発光強度を特性情報として出力する。
実施例１によれば、表示装置１を観察するユーザ個人の視覚特性（分光感度特性）に応じてバックライト３の発光スペクトルを変えることができ、印刷物と表示装置の色を比較した場合に、色の見え方の個人差を軽減することができる。
【００２０】
なお、実施例１では、入力部５１はスライダー群５１１により発光強度を調節するように構成しているが、発光強度を調節できるような構成であればスライダー以外を用いても良い。例えば、テンキーによる数値入力を行っても良い。
【００２１】
また、実施例１では、各光源の発光素子の発光強度を自由に調整可能とした例を示した。しかし、予め定められた複数の発光素子の各々の発光強度の複数の組み合わせを決定部４が内蔵するメモリ等の記憶手段に記憶させておき、入力部５１においてそれらの組み合わせを切り替える指示の入力を受け付ける構成としても良い。この場合、指定部５は、液晶パネル２に図３に示すような所定の色票を表示させる。指定部５は、液晶パネル２に表示された色票の色と、当該色票を印刷した印刷物における当該色票の色と、が最も一致する複数の発光素子の発光強度の組み合わせをユーザに入力部５１により入力させる。つまり、指定部５は、ユーザに、入力部５１により、上述の複数の組み合わせの選択肢のうちから１つの組み合わせを選択する指示を入力させる。指定部５は、入力された組み合わせの情報をユーザの分光感度特性に関する情報（特性情報）として取得する。決定部４は、指定部５により取得した組み合わせに係る発光素子の各々の発光強度で複数の発光素子の各々を制御するようにしても良い。
【００２２】
また、表示装置１の画面と比較する対象として印刷物を例にしているが、カラーマッチングを行う対象は印刷物に限定されない。例えば、表示装置１以外の他の表示装置に対する色の見え方の個人差を軽減することもできる。この場合、指定部５は、液晶パネル２に色票を表示させ、液晶パネル２に表示された色票の色と、他の表示装置に表示された当該色票の色とを一致させるように調節された各発光素子の発光強度又は選択された各発光素子の発光強度の組み合わせを取得する。
【００２３】
（実施例２）
実施例２では、ユーザ毎の錐体分光感度に関する情報に基づき、表示装置１の発光スペクトルを変えることで、色の見え方の個人差を軽減する例を示す。実施例２では、ユーザの知覚する色と所定の基準観察者の知覚する色との差異が小さくなるように、複数の発光素子の各々の発光強度を制御することにより、ユーザ間の色の見え方の個人差によるばらつきを軽減する例を説明する。
【００２４】
ＣＩＥ技術報告書  ＣＩＥ  １７０−１では、ユーザの年齢と視角に応じた錐体分光感度が定義されている。
実施例２では、視角を１０°に固定して、ユーザの年齢をユーザの分光感度特性の情報として取得し、年齢に応じた錐体分光感度に基づき各色光源の複数の発光素子の各々の発光強度を制御する例を示す。
図５は人の目の錐体分光感度と表示装置１の発光スペクトルの一例を示すグラフである。
図５の横軸は光の波長（ｎｍ）、縦軸は錐体の感度又は発光強度であり、実線が錐体分光感度、点線が表示装置１の発光スペクトルを示している。
【００２５】
人の錐体は３種類あり、感度のピークが長波長にあるものをｌ錐体、短波長にあるものをｓ錐体、その中間にあるものをｍ錐体と言う。
各錐体からの出力は、各錐体分光感度と表示装置１の発光スペクトルとを波長毎に乗算して、可視光の全波長域に渡って加算した値で表される。
ｌ錐体、ｍ錐体、ｓ錐体それぞれの出力をＯｌ、Ｏｍ、Ｏｓ、各錐体の分光感度をＣｌ（λ）、Ｃｍ（λ）、Ｃｓ（λ）、表示装置の発光スペクトルをＤ（λ）とすると、以下のように表せる。
Ｏｌ＝∫Ｃｌ（λ）×Ｄ（λ）ｄλ  ・・・（式１）
Ｏｍ＝∫Ｃｍ（λ）×Ｄ（λ）ｄλ  ・・・（式２）
Ｏｓ＝∫Ｃｓ（λ）×Ｄ（λ）ｄλ  ・・・（式３）
表示装置の発光スペクトルＤ（λ）は、次の式４のようにバックライトの発光スペクトルＢ（λ）と液晶パネルの透過スペクトルＬ（λ）の積で表される。
Ｄ（λ）＝Ｌ（λ）×Ｂ（λ）  ・・・（式４）
従って、式４を用いて、式１〜式３は以下のように変形される。
Ｏｌ＝∫Ｃｌ（λ）×Ｌ（λ）×Ｂ（λ）ｄλ  ・・・（式５）
Ｏｍ＝∫Ｃｍ（λ）×Ｌ（λ）×Ｂ（λ）ｄλ  ・・・（式６）
Ｏｓ＝∫Ｃｓ（λ）×Ｌ（λ）×Ｂ（λ）ｄλ  ・・・（式７）
これら錐体毎の出力が等しければ、異なるユーザ同士でも同じ色として感じる。
【００２６】
しかし、ＣＩＥ技術報告書  ＣＩＥ  １７０−１に示されているように、錐体分光感度には個人差があり、同じ発光スペクトルの表示装置でも、異なるユーザが観察すると、各錐体の出力が異なり、異なる色として見えてしまう。
このような色の見え方の個人差は、特にスペクトルが狭帯域の物を見たときに顕著となり、印刷物のような高帯域のスペクトルを持つ物を見る場合には個人差は小さくなる。
図６は、２０代のユーザＡと８０代のユーザＢの錐体分光感度を、ＣＩＥ技術報告書  ＣＩＥ  １７０−１に基づいて求めたグラフであり、実線はユーザＡ、破線はユーザＢの錐体分光感度を示している。
【００２７】
ユーザＡの錐体分光感度と錐体の出力をそれぞれＣｌａ（λ）、Ｃｍａ（λ）、Ｃｓａ（λ）、Ｏｌａ、Ｏｍａ、Ｏｓａとする。
同様に、ユーザＢの錐体分光感度と錐体の出力をＣｌｂ（λ）、Ｃｍｂ（λ）、Ｃｓｂ（λ）、Ｏｌｂ、Ｏｍｂ、Ｏｓｂとする。
また、ユーザＡが表示装置１を観察するときの表示装置１の分光スペクトルをＤａ（λ）、ユーザＢが表示装置１を観察するときの表示装置１の分光スペクトルをＤｂ（λ）とする。
ユーザＡが表示装置１を観察するときのバックライト３の発光スペクトルをＢａ（λ）、ユーザＢが表示装置１を観察するときのバックライト３の発光スペクトルをＢｂ（λ）、とする。
【００２８】
このときのユーザＡ及びユーザＢの各錐体からの出力は以下のようになる。
Ｏｌａ＝∫Ｃｌａ（λ）×Ｄａ（λ）ｄλ
＝∫Ｃｌａ（λ）×Ｌ（λ）×Ｂａ（λ）  ・・・（式８）
Ｏｍａ＝∫Ｃｍａ（λ）×Ｄａ（λ）ｄλ
＝∫Ｃｍａ（λ）×Ｌ（λ）×Ｂａ（λ）  ・・・（式９）
Ｏｓａ＝∫Ｃｓａ（λ）×Ｄａ（λ）ｄλ
＝∫Ｃｓａ（λ）×Ｌ（λ）×Ｂａ（λ）  ・・・（式１０）
Ｏｌｂ＝∫Ｃｌｂ（λ）×Ｄｂ（λ）ｄλ
＝∫Ｃｌｂ（λ）×Ｌ（λ）×Ｂｂ（λ）  ・・・（式１１）
Ｏｍｂ＝∫Ｃｍｂ（λ）×Ｄｂ（λ）ｄλ
＝∫Ｃｍｂ（λ）×Ｌ（λ）×Ｂｂ（λ）  ・・・（式１２）
Ｏｓｂ＝∫Ｃｓｂ（λ）×Ｄｂ（λ）ｄλ
＝∫Ｃｓｂ（λ）×Ｌ（λ）×Ｂｂ（λ）  ・・・（式１３）
これら錐体の出力ＯｌａとＯｌｂ、ＯｍａとＯｍｂ、ＯｓａとＯｓｂがそれぞれ近い値になるようなＢａ（λ）及びＢｂ（λ）で表示できれば、ユーザＡとユーザＢとの間の色
の見え方の個人差を軽減することができる。
【００２９】
以下、異なるユーザ間の錐体出力が近い値になるような発光スペクトルで表示させる例について説明する。異なるユーザ間の錐体出力が近い値になるとは、あるユーザの知覚する色と、別のユーザの知覚する色との差異が小さくなることである。つまり、実施例２では、ユーザの知覚する色と別のユーザの知覚する色との差異が小さくなるように各色光源の複数の発光素子の発光強度を制御する。
【００３０】
図７は、実施例２に係る表示装置の構成の一例を示すブロック図である。
図中、図１と同様の機能を持つ構成要素については、同じ番号を付し、説明を省略する。
図７において、記憶部６は、指定部５で指定される特性情報に応じたバックライト３の発光強度を記憶している。例えば、記憶部６は、観察者の特性情報毎に、観察者の知覚する色と所定の基準観察者の知覚する色との差異が小さくなるように予め求められた、複数の発光素子の各々の発光強度の情報を記憶する。実施例２では、観察者の特性情報は観察者の年齢であるとする。
【００３１】
指定部５は、図示しない入力部を有しており、ユーザは入力部から年齢を入力する。
ユーザが年齢を入力すると、指定部５は、ユーザの年齢の情報をユーザの分光感度特性に関する情報（特性情報）として決定部４に出力する。
決定部４は、特性情報（年齢）に基づき、記憶部６に記憶されている年齢と発光強度との対応関係を参照して、バックライト３の各光源の発光素子の各々発光強度を取得し、バックライト３に出力する。
バックライト３は、決定部４から出力される各光源の発光素子の発光強度に基づいて発光する。
バックライト３から照射された光は、液晶パネル２を透過して画像が表示される。
このときの表示装置１から出力される光の発光スペクトルＤ（λ）は、式４のように表される。
【００３２】
液晶パネル２の透過スペクトルＬ（λ）は表示される画像により異なるため、表示装置１の発光スペクトルＤ（λ）も画像により異なる。
しかし、所定の重要色について、ユーザの知覚する色と基準観察者の知覚する色との差異が小さくなるように複数の発光素子の各々の発光強度を制御することで、各ユーザが同様の色の見えになるようなバックライト３の発光スペクトルＢ（λ）が得られる。これにより、色の見え方の個人差を軽減することができる。
重要色としては、白色やベージュ等、人が色の差を認識しやすい色を用いれば良い。重要色はこれに限らず、例えば実施例１で例示した図３の色票を構成する赤、緑、青、白、黄、シアン、マゼンタ、及びベージュの少なくともいずれかを含む色としても良い。
【００３３】
バックライト３の発光スペクトルＢ（λ）の求め方については、ユーザ毎に、重要色について、式８〜式１３を変形した以下の式を満たすようなＢ（λ）を数値解析により求める。
Ｏｌａ＝∫Ｃｌａ（λ）×Ｌ（λ）×Ｂａ（λ）ｄλ
＝Ｏｌｂ＝∫Ｃｌｂ（λ）×Ｌ（λ）×Ｂｂ（λ）ｄλ
・・・（式１４）
Ｏｍａ＝∫Ｃｍａ（λ）×Ｌ（λ）×Ｂａ（λ）ｄλ
＝Ｏｍｂ＝∫Ｃｍｂ（λ）×Ｌ（λ）×Ｂｂ（λ）ｄλ
・・・（式１５）
Ｏｓａ＝∫Ｃｓａ（λ）×Ｌ（λ）×Ｂａ（λ）ｄλ
＝Ｏｓｂ＝∫Ｃｓｂ（λ）×Ｌ（λ）×Ｂｂ（λ）ｄλ
・・・（式１６）
バックライト３の発光スペクトルＢ（λ）は、各光源の発光スペクトルを波長毎に加算した値であり、以下のように表せる。
Ｂ（λ）＝ｋｒａ×ＢＲａ（λ）＋ｋｒｂ×ＢＲｂ（λ）＋ｋｇａ×ＢＧａ（λ）＋ｋｇｂ×ＢＧｂ（λ）＋ｋｂａ×ＢＢａ（λ）＋ｋｂｂ×ＢＢｂ（λ）
・・・（式１７）
ここで、ＢＲａ（λ）、ＢＲｂ（λ）、ＢＧａ（λ）、ＢＧｂ（λ）、ＢＢａ（λ）、ＢＢｂ（λ）は、それぞれ、赤色光源Ｒａ、Ｒｂ、緑色光源Ｇａ、Ｇｂ、青色光源Ｂａ、Ｂｂの発光スペクトルである。
また、ｋｒａ、ｋｒｂ、ｋｇａ、ｋｇｂ、ｋｂａ、ｋｂｂは、各光源の発光強度を示す。
【００３４】
上記式１４〜式１６及び式１７から、各光源の発光強度を求めることで、各ユーザが同様の色の見えになるようなバックライト３の発光スペクトルＢ（λ）を得ることができる。
数値解析する際には、基準となる錐体出力を求めておき、その出力値に近くなるようなバックライト３の発光スペクトルＢ（λ）を得るための各光源の複数の発光素子の各々の発光強度を求める。
基準となる錐体出力としては、例えば、所定の基準観察者が印刷物を見た場合や表示装置を見た場合の錐体出力を用いれば良い。基準観察者は、例えば、所定の年齢の観察者である。
【００３５】
このようにして、観察者の年齢毎に、観察者の知覚する色と所定の基準観察者の知覚する色との差異が小さくなるように予め求められた、バックライト３の各光源の複数の発光素子の発光強度の情報を記憶部６に記憶しておく。決定部４は、ユーザから入力された年齢の情報に応じた発光強度の情報を記憶部６の情報から取得して各発光素子を制御することにより、各ユーザの錐体の出力の差が小さくなるようなバックライト３の発光スペクトルを得ることができる。その結果、ユーザ毎の錐体分光感度が異なることによる色の見え方の個人差を軽減することが可能となる。
【００３６】
実施例２では、観察者の分光感度特性毎（年齢毎）に、当該分光感度特性の観察者の知覚する色と基準観察者の知覚する色との差異が小さくなるように予め求められた、複数の発光素子の各々の発光強度の情報を記憶部６に記憶している。決定部４は、指定部５により取得されたユーザの分光感度特性に関する情報（年齢）に対応する発光強度で複数の発光素子の各々を制御する。
【００３７】
なお、実施例２では、ユーザの年齢をユーザが入力部から入力するようにしているが、指定部５はユーザの識別情報をユーザの分光感度特性に関する情報として取得しても良い。この場合、記憶部６には、ユーザの識別情報と、当該ユーザの知覚する色と所定の基準観察者の知覚する色との差異が小さくなる複数の発光素子の各々の発光強度の情報と、の対応関係を記憶させておく。決定部４は、指定部５が取得したユーザの識別情報に対応する発光強度の情報を記憶部６から取得し、取得した発光強度で各発光素子を制御する。指定部５は、ユーザからの入力により識別情報を取得しても良いし、或いは、指定部５に個人認証を行う個人認証部を設け、個人認証を行ってユーザの年齢を取得しても良い。個人認証の方法としては、例えば指紋認識や声認識、カメラによる顔認識等を用いることができる。その際には、記憶部６には個人認証を行うためのデータと、各個人の年齢データも記憶する。
【００３８】
また、実施例２では、視角を１０°に固定して、ユーザの年齢に応じてバックライト３の各光源の発光強度を制御するようにしているが、表示装置に対するユーザの視角に応じ
て各光源の発光素子の発光強度を制御してもよい。この場合、記憶部６は、表示装置に対する観察者の視角と分光感度特性との対応関係の情報を記憶する。指定部５は、ユーザの分光感度特性に関する情報としてユーザの表示装置に対する視角を取得する。決定部４は、指定部５で取得したユーザの視角に対応する分光感度特性に基づき、複数の発光素子の各々の発光強度を制御する。例えば、決定部４は、ユーザの視角に対応する分光感度特性と、所定の基準観察者の当該視角に対応する分光感度特性と、各色光源の複数の発光素子の発光スペクトルと、に基づき計算される錐体出力の差異が小さくなるように各発光素子の発光強度を計算する。例えば、決定部４は、ユーザと基準観察者の錐体出力の差異が所定の閾値以下となるような発光強度を数値計算により算出する。具体的な計算方法は上述の年齢に応じた発光強度の計算と同様である。
【００３９】
また、記憶部６は、表示装置に対する観察者の視角毎に、観察者の知覚する色と所定の基準観察者の知覚する色との差異が小さくなるように予め求められた、複数の発光素子の各々の発光強度の情報を記憶するようにしても良い。この場合、指定部５は、ユーザの分光感度特性に関する情報としてユーザの表示装置に対する視角を取得する。決定部４は、指定部５により取得されたユーザの視角に対応する発光強度で複数の発光素子の各々を制御する。
指定部５は、視角の情報を入力部からユーザの入力を受け付けることにより取得しても良いし、表示装置１に赤外線センサ等の距離センサを設け、表示装置１とユーザとの距離を取得し、表示装置１の画面寸法（サイズ）と距離から視角を算出しても良い。
【００４０】
また、実施例２では、ユーザの年齢に応じて、記憶部６からバックライト３の発光強度を読み出すように構成している。しかし、観察者の年齢と錐体分光感度（分光感度特性）との対応関係の情報を記憶部６に記憶しておき、指定部５が取得したユーザの年齢に対応する分光感度特性と、バックライト３の各光源の発光スペクトルの情報に基づき、上記計算を決定部４で行っても良い。これにより、発光素子の各々の発光強度を算出しても良い。決定部４は、ユーザの年齢に応じた分光感度特性に関する情報と、基準観察者の分光感度特性に関する情報と、複数の発光素子の発光スペクトルと、に基づき、ユーザと基準観察者の知覚する色（錐体出力）が近くなるように、発光強度を算出する。
【００４１】
また、ユーザの錐体分光感度を複数のタイプに分類し、タイプ毎にバックライト３の各光源の発光強度を制御するように構成しても良い。例えば、印刷物と表示装置を見比べた場合に、表示装置の方が赤く見えるタイプ、緑に見えるタイプ、青に見えるタイプ、黄色に見えるタイプに分類し、更に色の見えの差の大小により、複数種類のタイプにユーザの分光感度特性を分類することができる。
各タイプについて、錐体分光感度を求め、それに対するバックライト３の各光源の発光強度を予め求めておき、記憶部６に記憶する。
【００４２】
ユーザは、重要色が印刷された印刷物と、その色に対応した表示を行っている表示装置を見比べ、記憶部６に記憶された複数の発光強度の組み合わせを呼び出しながら、最も印刷物と表示装置の色の見えが合う組み合わせを選択する。指定部５は、ユーザによる選択結果の入力をユーザの分光感度特性に関する情報として取得し、ユーザがどのタイプの分光開度特性に分類されるか判定し、決定部４は、ユーザのタイプに応じた発光強度で複数の発光素子を制御する。
【００４３】
上記の実施例では、バックライト３の各原色光源がスペクトルの異なる２種類の発光素子を有する例について説明したが、複数の原色光源のうちの少なくともいずれかの光源が複数種類の発光素子で構成されていても良い。例えば、色の見えの差に対して感度の高い青色光源のみ２種類の発光素子からなり、赤色光源、緑色光源については１種類の発光素子で構成しても良い。また、各色光源を構成する発光素子は３種類以上であっても良い。
【符号の説明】
【００４４】
１：表示装置、２：液晶パネル、３：バックライト、４：決定部、５：指定部、３１１：赤色光源Ｒａ、３１２：赤色光源Ｒｂ、３１３：緑色光源Ｇａ、３１４：緑色光源Ｇｂ、３１５：青色光源Ｂａ、３１６：青色光源Ｂｂ
【図１】
2016057583.tif 000003
【図２】
2016057583.tif 000004
【図３】
2016057583.tif 000005
【図４】
2016057583.tif 000006
【図５】
2016057583.tif 000007
【図６】
2016057583.tif 000008
【図７】
2016057583.tif 000009